(57)【要約】【課題】画像の補正が適切に行えない。【解決手段】画像処理装置は、端末から提供された複数の提供画像を取得する取得部と、前記取得部により取得された前記複数の提供画像を格納する格納部と、他の端末から、元画像とともに前記元画像の補正を指示する補正指示を受け付ける指示受付部と、前記指示受付部が前記補正指示を受け付けた場合、前記格納部に格納されている前記複数の提供画像から、前記元画像に関連する提供画像を抽出し、抽出した前記提供画像を用いて前記元画像を補正した補正画像を生成する補正部とを備える。【選択図】図２
2014010742.tif 000002
【特許請求の範囲】
【請求項１】
端末から提供された複数の提供画像を取得する取得部と、
前記取得部により取得された前記複数の提供画像を格納する格納部と、
他の端末から、元画像とともに前記元画像の補正を指示する補正指示を受け付ける指示受付部と、
前記指示受付部が前記補正指示を受け付けた場合、前記格納部に格納されている前記複数の提供画像から、前記元画像に関連する提供画像を抽出し、抽出した前記提供画像を用いて前記元画像を補正した補正画像を生成する補正部と
を備える画像処理装置。
【請求項２】
前記補正部は、前記複数の提供画像から前記元画像と類似する提供画像を抽出する請求項１に記載の画像処理装置。
【請求項３】
前記補正部は、前記補正画像における前記提供画像の貢献度を算出する請求項１または２に記載の画像処理装置。
【請求項４】
前記補正部は、前記貢献度に応じて、抽出された前記提供画像を提供した前記端末にインセンティブを付与する請求項３に記載の画像処理装置。
【請求項５】
前記補正部は、前記元画像を送信した端末に前記補正画像を送信する請求項１から４のいずれか１項に記載の画像処理装置。
【請求項６】
前記補正部は、前記元画像のユーザにより設定された補正度合いに基づいて、前記元画像を補正して、前記補正画像を生成する請求項１から５のいずれか１項に記載の画像処理装置。
【請求項７】
前記指示受付部は、撮像時間、位置情報、撮像方向の情報、画像認識情報、被写体を特定する文字情報、及び主要被写体の指定情報のうち少なくとも１つを含む画像情報を補正指示とともに受け付ける請求項１から６のいずれか１項に記載の画像処理装置。
【請求項８】
前記補正部は、被写体候補の文字情報を、前記元画像を送信した端末に送信する請求項１から７のいずれか１項に記載の画像処理装置。
【請求項９】
前記補正部は、被写体候補を含む複数の提供画像のサムネイルを、前記元画像を送信した端末に送信する請求項１から８のいずれか１項に記載の画像処理装置。
【請求項１０】
端末から提供された複数の提供画像を取得する取得段階と、
前記取得段階により取得された前記複数の提供画像を格納する格納段階と、
他の端末から、元画像とともに前記元画像の補正を指示する補正指示を受け付ける指示受付段階と、
前記指示受付段階において、前記補正指示を受け付けた場合、前記格納段階で格納されている前記複数の提供画像から、前記元画像に関連する提供画像を抽出し、抽出した前記提供画像を用いて前記元画像を補正した補正画像を生成する補正段階と
を備える画像処理方法。
【請求項１１】
前記補正段階では、前記補正画像における前記提供画像の貢献度を算出する請求項１０に記載の画像処理方法。
【請求項１２】
前記補正段階では、前記貢献度に応じて、抽出された前記提供画像を提供した前記端末にインセンティブを付与する請求項１１に記載の画像処理方法。
【発明の詳細な説明】
【技術分野】
【０００１】
本発明は、画像処理装置に関する。
【背景技術】
【０００２】
複数の画像によって、一の画像を補正する技術が知られている（例えば、特許文献１参照）。
［特許文献１］  特開２０１２−１０５１９５号公報
【発明の概要】
【発明が解決しようとする課題】
【０００３】
しかしながら、一の端末でグループ分けされて画像に基づいて、画像を補正するので、画像の補正が適切に行えないといった課題がある。
【課題を解決するための手段】
【０００４】
本発明の第１の態様においては、端末から提供された複数の提供画像を取得する取得部と、前記取得部により取得された前記複数の提供画像を格納する格納部と、他の端末から、元画像とともに前記元画像の補正を指示する補正指示を受け付ける指示受付部と、前記指示受付部が前記補正指示を受け付けた場合、前記格納部に格納されている前記複数の提供画像から、前記元画像に関連する提供画像を抽出し、抽出した前記提供画像を用いて前記元画像を補正した補正画像を生成する補正部とを備える画像処理装置を提供する。
【０００５】
本発明の第２の態様においては、端末から提供された複数の提供画像を取得する取得段階と、前記取得段階により取得された前記複数の提供画像を格納する格納段階と、他の端末から、元画像とともに前記元画像の補正を指示する補正指示を受け付ける指示受付段階と、前記指示受付段階において、前記補正指示を受け付けた場合、前記格納段階で格納されている前記複数の提供画像から、前記元画像に関連する提供画像を抽出し、抽出した前記提供画像を用いて前記元画像を補正した補正画像を生成する補正段階とを備える画像処理方法を提供する。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】画像処理装置１２を含む画像処理システム１０の全体構成図である。
【図２】画像処理装置１２の機能ブロック図である。
【図３】端末１４の機能ブロック図である。
【図４】端末１４が補正指示を送信する補正指示送信処理のフローチャートである。
【図５】画像処理装置１２により実行される補正処理のフローチャートである。
【図６】元画像７０の図である。
【図７】補正部３６により抽出された提供画像７２の図である。
【図８】補正部３６により補正された補正画像７４の図である。
【図９】画像処理装置１２が、端末１４へと撮像指示を送信する撮像指示送信処理のフローチャートである。
【図１０】撮像指示を受信した端末１４による撮像処理のフローチャートである。
【図１１】被写体候補リストの図である。
【図１２】被写体候補のサムネイル表示の図である。
【図１３】別の補正度合いによる補正画像９０の図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、画像処理装置１２を含む画像処理システム１０の全体構成図である。図１に示すように、画像処理システム１０は、画像処理装置１２と、複数の端末１４、１６、１８、２０と、アプリケーション提供装置２２とを備える。
【００１０】
画像処理装置１２は、複数の端末１４、１６、１８、２０から提供画像を取得して、格納する。画像処理装置１２は、端末１４、１６、１８、２０のうちいずれかから補正指示を受け付けると、当該端末から取得した元画像を、提供画像を用いて補正して、補正画像を生成する。
【００１１】
端末１４、１６、１８、２０は、画像処理装置１２に提供画像を、インターネット等を介して提供する。端末１４、１６、１８、２０は、画像を格納できて、通信可能な形態であればよい。例えば、端末１４は、画像を撮像及び格納可能であって、通信可能なデジタルカメラである。端末１６は、画像を格納可能であって、通信可能なノート型パソコンである。端末１８は、画像を撮像及び格納可能であって、通信可能な携帯電話である。端末２０は、画像を撮像及び格納可能であって、通信可能なデジタルカメラである。端末２０は、街頭等に設置されている警備用のデジタルカメラであって、ＧＰＳ端末によって計測された位置情報とともに、周期的に提供画像を画像処理装置１２へと送信する。端末１４、１６、１８が、ＧＰＳ端末によって計測された位置情報を提供画像とともに送信してもよい。尚、端末１４、１６、１８、２０は、画像処理装置１２の管理者が有料または無料で貸し出してもよい。
【００１２】
アプリケーション提供装置２２は、画像処理装置１２において使用されるアプリケーションを提供する。アプリケーション提供装置２２は、アプリケーションを無料で提供してもよく、アプリケーションの使用量に応じて課金してもよい。
【００１３】
図２は、画像処理装置１２の機能ブロック図である。図２に示すように、画像処理装置１２は、取得部３０と、格納部３２と、指示受付部３４と、補正部３６と、アプリケーション取得部３８と、アプリケーション格納部４０とを備える。
【００１４】
取得部３０は、端末１４、１６、１８、２０から提供された複数の提供画像を取得する。取得部３０は、取得した提供画像を格納部３２へと出力する。
【００１５】
格納部３２は、取得部３０により取得されて、格納部３２へと出力された複数の提供画像を格納する。
【００１６】
指示受付部３４は、端末１４、１６、１８、２０から、元画像とともに、元画像の補正を指示する補正指示を、インターネット等の通信を介して、受け付ける。指示受付部３４は、受け付けた元画像及び補正指示を補正部３６へと出力する。尚、指示受付部３４は、補正指示とともに、元画像に関する画像情報及び元画像の補正度合いを受け付ける場合もある。補正度合いは、０％から１００％の間で設定される。補正度合いが０％の場合、補正はされず、補正度合いが１００％の場合、可能な限りの補正が実行される。補正度合いが設定された場合、指示受付部３４は、補正指示とともに、後述する画像情報及び補正度合いを補正部３６へと出力する。
【００１７】
補正部３６は、指示受付部３４が補正指示を受け付けた場合、指示受付部３４から元画像とともに補正指示を取得する。これにより、補正部３６は、格納部３２に格納されている複数の提供画像から、元画像に関連する提供画像を抽出する。元画像に関連する提供画像の一例は、元画像に類似する提供画像である。補正部３６は、抽出した提供画像を用いて元画像を補正した補正画像を生成する。ここで、補正部３６は、元画像のユーザにより設定された補正度合いを取得した場合、当該補正度合いに基づいて、元画像を補正して、補正画像を生成する。補正部３６は、生成した補正画像を、元画像の提供者に送信する。
【００１８】
アプリケーション取得部３８は、アプリケーション提供装置２２からアプリケーションを取得する。アプリケーション取得部３８は、取得したアプリケーションをアプリケーション格納部４０へと出力する。
【００１９】
アプリケーション格納部４０は、アプリケーション取得部３８が取得したアプリケーションを格納する。アプリケーション格納部４０が格納するアプリケーションの一例は、補正部３６の機能を拡張するアプリケーションである。
【００２０】
図３は、端末１４の機能ブロック図である。図３に示すように、端末１４は、入力部５０と、送信部５２と、画像格納部５４と、受信部５６と、表示制御部５８と、表示部６０と、画像情報生成部６２と、撮像部６４とを備える。
【００２１】
入力部５０は、シャッタボタン、タッチパネル、操作ボタン等を含む。これにより、入力部５０は、ユーザによって種々の指示が入力される。入力部５０は、指示の内容によって、送信部５２、表示制御部５８、撮像部６４等へと指示を出力する。入力部５０によって入力される指示の一例は、補正指示である。入力部５０は、補正指示が入力されると、送信部５２へと出力する。入力部５０は、シャッタボタンが操作されると、撮像部６４へと撮像指示を出力する。入力部５０は、タッチパネル等によって画像の表示指示が入力されると、表示制御部５８へと表示指示を出力する。入力部５０は、補正度合いが入力されて設定されると、画像格納部５４に補正度合いを格納する。
【００２２】
送信部５２は、画像処理装置１２等の外部の機器へと情報を送信する。例えば、送信部５２は、入力部５０から補正指示とともに元画像のファイル名が入力されると、元画像及び元画像に関連付けられた画像情報を画像格納部５４から抽出する。送信部５２は、元画像、画像情報、及び、補正指示を画像処理装置１２の指示受付部３４へと送信する。
【００２３】
画像格納部５４は、画像、及び、画像に関連付けられた画像情報を格納する。画像格納部５４に格納されている画像が、元画像、及び、提供画像となる。また、画像格納部５４は、受信部５６から補正画像を取得して、格納する。
【００２４】
受信部５６は、画像処理装置１２等の外部の機器からの情報を受信する。例えば、受信部５６は、画像処理装置１２から補正画像を受信する。受信部５６は、この補正画像を画像格納部５４へと出力する。
【００２５】
表示制御部５８は、入力部５０から表示指示を取得すると、表示部６０を制御して、画像を表示させる。ここでいう画像には、提供画像、元画像、補正画像、及び、撮像した撮像画像などを含む。
【００２６】
表示部６０は、有機ＥＬパネル、液晶パネル等を含む。表示部６０は、表示制御部５８によって制御されて、画像を表示する。
【００２７】
画像情報生成部６２は、撮像部６４から画像を取得して、当該画像に基づいて、画像情報を生成する。画像情報は、元画像の撮像時間、元画像を撮像した位置情報、撮像方向の情報、画像認識情報、被写体を特定する文字情報、及び主要被写体の指定情報のうち少なくとも１つを含む。画像認識情報とは、画像情報生成部６２が画像から認識した情報である。例えば、富士山を含む画像の場合、画像情報生成部６２は、富士山または山等の情報を画像認識情報として生成する。また、画像情報生成部６２は、入力部５０から入力された情報に基づいて、画像情報を生成する。例えば、被写体を特定する文字情報は、入力部５０によってユーザが入力した被写体の名前の文字情報である。また、主要被写体の指定情報は、入力部５０によってユーザが画像の中から指定した被写体の情報である。画像情報生成部６２は、画像情報を生成すると、画像と関連付けて画像格納部５４に格納する。
【００２８】
撮像部６４は、入力部５０から撮像指示によって、被写体を撮像持して画像を生成する。撮像部６４は、画像を画像情報生成部６２に出力するとともに、画像格納部５４に格納する。尚、撮像部６４は、受信部５６が外部から受信した撮像指示によっても撮像する。
【００２９】
端末１６、１８、２０の構成は、端末１４に一部を追加または端末１４の一部を省略した構成なので、説明を省略する。
【００３０】
図４は、端末１４が補正指示を送信する補正指示送信処理のフローチャートである。尚、補正指示を送信する端末は他の端末１６、１８、２０であってもよい。
【００３１】
図４に示すように、補正指示送信処理では、入力部５０は、ユーザによって画像が指定されるとともに補正指示が入力されたか否かを判定する（Ｓ１０）。入力部５０は、補正指示が入力されるまでステップＳ１０を繰り返す（Ｓ１０：Ｎｏ）。入力部５０は、補正指示が入力されたと判定すると（Ｓ１０：Ｙｅｓ）、送信部５２へと指定された画像のファイル名と補正指示を出力する。
【００３２】
送信部５２は、画像のファイル名、及び、補正指示が入力されると、補正度合いが入力されているか否かを判定する（Ｓ１２）。送信部５２は、画像格納部５４を検索して、補正度合いが既に入力されていると判定すると（Ｓ１２：Ｙｅｓ）、画像格納部５４から補正度合い、画像のファイル名に対応する元画像、元画像に関連する画像情報を取得する。送信部５２は、補正度合い、元画像、画像情報、及び、補正指示を、画像処理装置１２の指示受付部３４へと送信する（Ｓ１４）。
【００３３】
一方、送信部５２は、補正度合いが入力されていないと判定すると（Ｓ１２：Ｎｏ）、画像格納部５４から元画像、画像情報を取得する。送信部５２は、元画像、画像情報、及び、補正指示を画像処理装置１２の指示受付部３４へと送信する（Ｓ１６）。これにより、端末１４での補正指示送信処理は終了する。
【００３４】
図５は、画像処理装置１２により実行される補正処理のフローチャートである。図６は、元画像７０の図である。図７は、補正部３６により抽出された提供画像７２の図である。図８は、補正部３６により補正された補正画像７４の図である。
【００３５】
図５に示すように、補正処理では、指示受付部３４が、補正指示を受け付けたか否かを判定する（Ｓ２０）。指示受付部３４は、補正指示を受け付けるまで、ステップＳ２０を繰り返す（Ｓ２０：Ｎｏ）。指示受付部３４は、補正指示を受け付けると（Ｓ２０：Ｙｅｓ）、補正指示とともに受け付けた補正度合い、元画像７０、画像情報を補正部３６へと出力する。尚、指示受付部３４は、補正度合い及び画像情報を受け付けない場合、元画像７０及び補正指示のみを補正部３６へと出力する。
【００３６】
次に、補正部３６は、補正指示、元画像等を指示受付部３４から入力されると、元画像７０に関連する提供画像を格納部３２から抽出する（Ｓ２２）。尚、格納部３２には、取得部３０によって取得された複数の提供画像が格納されている。
【００３７】
ここで、補正部３６が、取得した元画像７０が図６に示す画像とする。元画像７０は、人物７８と、建築物８０とを撮像している。しかしながら、撮像時に他人８２が、端末１４の前を横切って、建築物８０の大部分が他人８２の後に隠れている。補正部３６は、この元画像７０を取得して、建築物８０が希望の被写体であって、他人８２は希望しない被写体であることを認識する。認識方法として、例えば、他人８２の画像に焦点が合っておらず、建築物８０に焦点が合っている場合、補正部３６は、他人８２を希望しない被写体と認識して、建築物８０を希望する被写体と認識する。また、画像情報に主要被写体として、建築物８０が指定されている場合、補正部３６は、建築物８０が主要被写体であると認識する。
【００３８】
補正部３６は、建築物８０を含む提供画像を格納部３２から抽出する。例えば、建築物８０の名称が画像情報に含まれている場合、補正部３６は、格納部３２に格納されている提供画像のうち、画像情報に当該建築物８０の名称を含み、建築物８０が画像に含まれる図７に示す提供画像７２を抽出する。尚、補正部３６は、建築物８０に類似する提供画像を抽出してもよい。
【００３９】
補正部３６は、抽出した提供画像７２を用いて、元画像７０を補正して、図８に示す補正画像７４を生成する（Ｓ２４）。具体的には、補正部３６は、元画像７０から他人８２を消去して、コンピューテイショナルフォトグラフィー等の技術によって、提供画像７２の建築物８０を切り取り、適切な大きさに拡大または縮小して、元画像７０の適切な位置に合成する。これより、補正部３６は、補正画像７４を生成する。
【００４０】
ここで、補正部３６は、補正度合いを取得している場合、補正度合いに応じて、元画像７０を補正する。例えば、補正部３６は、補正度合いが５０％の場合、他人８２と建築物８０とが重複している領域では、他人８２の透明度を５０％にして、建築物８０が他人８２に重複して表示された補正画像７４を生成する。補正部３６は、補正画像７４を生成すると、補正画像７４における提供画像７２の貢献度を算出する。貢献度とは、例えば、補正画像７４の全体に対する提供画像７２の占める割り合いである。尚、補正部３６は、貢献度に応じて、抽出された提供画像７２を提供した端末にインセンティブを付与してもよい。インセンティブは、例えば、アプリケーション提供装置２２から有料でアプリケーションをダウンロードする場合に使えるポイントであったり、アプリケーションには最初は含まれていない特別な機能を実行するプラグインソフトを取得する権利である。
【００４１】
次に、補正部３６は、生成した補正画像７４を貢献度とともに、元画像７０を送信した端末１４の受信部５６へと送信する（Ｓ２６）。これにより、画像処理装置１２での補正処理は終了する。
【００４２】
この後、補正画像７４を受信部５６で受信した端末１４では、ユーザが表示指示を入力すると、表示制御部５８が、補正画像７４を表示部６０に表示させる。
【００４３】
上述したように、画像処理装置１２は、複数の端末１４、１６、１８、２０から取得した提供画像のいずれかを用いて、元画像７０を補正して、補正画像７４を生成する。このように、複数の端末１４、１６、１８、２０から取得した多数の提供画像に用いるので、適切な補正を実行でき、補正画像７４の完成度を向上させることができる。
【００４４】
図９は、画像処理装置１２が、端末１４へと撮像指示を送信する撮像指示送信処理のフローチャートである。
【００４５】
図９に示すように、撮像送信処理では、画像処理装置１２の補正部３６は、取得部３０が警告すべき提供画像を取得したか否かを判定する（Ｓ３０）。ここで、警告すべき提供画像の判定方法は、例えば、補正部３６は、端末１４から取得部３０が取得して格納部３２に格納されている提供画像のうち、日付の異なる同じ場所及び同じ時間の複数の提供画像を比較する。補正部３６は、比較の結果、現在の提供画像に、前日までの他の提供画像に撮像されていない車、荷物、人等の不審物が含まれている場合、当該提供画像を警告すべき提供画像と判定する。
【００４６】
補正部３６は、警告すべき提供画像を取得していないと判定すると、ステップＳ３０を繰り返す（Ｓ３０：Ｎｏ）。一方、補正部３６は、警告すべき提供画像を取得したと判定すると（Ｓ３０：Ｙｅｓ）、撮像指示を送信する（Ｓ３２）。ここで、補正部３６は、警告すべき提供画像の画像情報から提供画像が撮像された撮像位置を特定して、当該撮像位置の近傍の端末に撮像指示を送信する。これにより、撮像指示送信処理は終了する。
【００４７】
図１０は、撮像指示を受信した端末１４による撮像処理のフローチャートである。図１０に示すように、撮像処理では、端末１４の受信部５６は、撮像指示を受信したか否かを判定する（Ｓ４０）。受信部５６は、撮像指示を受信するまで、ステップＳ４０を繰り返す（Ｓ４０：Ｎｏ）。受信部５６は、撮像指示を受信したと判定すると（Ｓ４０：Ｙｅｓ）、撮像部６４に撮像指示を出力する。
【００４８】
撮像部６４は、受信部５６から撮像指示を入力すると、被写体を撮像して画像を生成する（Ｓ４２）。撮像部６４は、撮像した画像を画像格納部５４に格納する（Ｓ４４）。これにより、撮像処理は終了する。尚、撮像された画像は、端末１４のユーザの意志に関係なく撮像されているので、画像が乱れている場合が多い。このような場合、端末１４は、画像処理装置１２に当該画像とともに、補正指示を送信することにより、画像として完成度の高い補正画像を得ることができる。
【００４９】
上述したように、画像処理装置１２が端末１４に撮像指示を送信するので、ライフログ等の場合、日常生活の被写体を効率よく撮像することができる。
【００５０】
尚、上述の実施形態では、不審物の有無によって撮像指示を送信したが、撮像指示を送信する条件は、不審物の有無に限らない。例えば、画像処理装置１２が、２人のユーザがすれ違う状態の場合に、２人のユーザの端末に撮像指示を送信してもよい。これにより、２人のユーザの端末は、互いの背後の被写体を撮像して、画像を生成することができる。
【００５１】
図１１は、被写体候補リストの図である。補正部３６は、補正すべき被写体の名称が不明の場合、絞り込んだ複数の被写体候補の名称の文字情報を、元画像を送信した端末１４へと送信してもよい。端末１４では、図１１に示すように、表示制御部５８が、当該複数の名称をリスト８６にして、表示部６０に表示させる。これにより、端末１４のユーザは、リスト８６から複数の名称から被写体として希望する名称を選択して、補正部３６へと送信する。補正部３６は、当該名称を端末１４から受信すると、提供画像の画像情報を参照して、補正に用いる提供画像を抽出する。これにより、補正部３６は、効率よく提供画像を抽出して、完成度の高い補正画像を生成することができる。
【００５２】
図１２は、被写体候補のサムネイル表示の図である。補正部３６は、補正すべき対象が不明の場合、絞り込んだ被写体候補を含む複数の提供画像のサムネイルを、元画像を送信した端末１４へと送信してもよい。端末１４では、図１２に示すように、表示制御部５８が、当該複数の画像のサムネイル８８を表示部６０に表示させる。これにより、端末のユーザは、サムネイル８８から被写体として希望する画像を選択して、補正部３６へと送信する。これにより、補正部３６は、効率よく提供画像を抽出して、完成度の高い補正画像を生成できる。
【００５３】
図１３は、別の補正度合いによる補正画像９０の図である。上述の実施形態では、補正度合いを「％」で設定して、透明度によって補正したが、補正度合いをこれに限られない。例えば、「被写体明確」、「構図変更」等のように選択肢によって補正度合いを設定してもよい。補正部３６は、補正度合いとして「被写体明確」を取得すると、構図を変更することなく、図６の元画像７０を、図８の補正画像７４のように補正する。一方、補正部３６は、補正度合いとして「構図変更」を取得すると、図１３のように人物７８及び建築物８０を拡大して、構図を変更した補正画像９０を生成する。
【００５４】
上述の実施形態では、１枚の提供画像から建築物を切り取って、元画像に合成する例を示したが、複数枚の提供画像を抽出して、元画像を補正できるようにしてもよい。１枚の提供画像によって補正するか、複数枚の提供画像によって補正するかは、閾値を設定して、その閾値に基づいて、補正部３６が選択するようにすればよい。例えば、上述の例では、補正部３６は、１枚の提供画像を抽出して、提供画像に含まれる建築物の画像の大きさ、及び、コントラスト等が閾値以下の場合、更に、別の提供画像を抽出する。補正部３６は、抽出した複数枚の提供画像から建築物を切り取り、合成した後、合成した建築物を元画像に合成して、補正画像を生成する。
【００５５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５６】
変更または改良の一例としては、以下のものがある。
【００５７】
画像処理装置１２は、さらに、端末１４、１６、１８、２０から送信される画像の所有者情報を予めあるいは送信と同時に取得し記憶する機能を有してもよい。
【００５８】
補正画像の提供を有料とする場合には、補正画像の生成に使った「他人の」関連画像の数を課金額算定の要素とすることができる。
【００５９】
補正画像を提供する先は、元画像を送信してきた端末１４のみならず、例えば端末１６が同一人の所有にかかる場合には、端末１４にかえ、あるいは端末１４とともに端末１６にも提供してもよい。
【００６０】
さらに、図５のＳ２６「補正画像を送信」したとき、補正画像の生成に使った提供画像が他人の所有にかかる端末１８からの画像であった場合には、端末１８に「使われた」旨の表示をさせる信号を送信してもよい。
【００６１】
補正された画像とともに、補正に用いた提供画像の提供者の名前等の情報を表示できるようにしてもよい。更に、補正画像の提供を受けたユーザが、提供者の評価をできるようにして、その評価結果を表示できるようにしてもよい。
【００６２】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６３】
１０  画像処理システム、        １２  画像処理装置、        １４  端末、        １６  端末、        １８  端末、        ２０  端末、        ２２  アプリケーション提供装置、        ３０  取得部、        ３２  格納部、        ３４  指示受付部、        ３６  補正部、        ３８  アプリケーション取得部、        ４０  アプリケーション格納部、        ５０  入力部、        ５２  送信部、        ５４  画像格納部、        ５６  受信部、        ５８  表示制御部、        ６０  表示部、        ６２  画像情報生成部、        ６４  撮像部、        ７０  元画像、        ７２  提供画像、        ７４  補正画像、        ７８  人物、        ８０  建築物、        ８２  他人、        ８６  リスト、        ８８  サムネイル、        ９０  補正画像
【図１】
2014010742.tif 000003
【図２】
2014010742.tif 000004
【図３】
2014010742.tif 000005
【図４】
2014010742.tif 000006
【図５】
2014010742.tif 000007
【図６】
2014010742.tif 000008
【図７】
2014010742.tif 000009
【図８】
2014010742.tif 000010
【図９】
2014010742.tif 000011
【図１０】
2014010742.tif 000012
【図１１】
2014010742.tif 000013
【図１２】
2014010742.tif 000014
【図１３】
2014010742.tif 000015